(57)【要約】【課題】生体電極を着衣に取り付けた後で、着衣が汗等で濡れた状態になったとしても、所望の生体電気信号を取得可能とする。【解決手段】生体電極は、撥水性かつ電気絶縁性の部材からなるセンサ取り付け部１１０４と、センサ取り付け部１１０４の生体１０００と接触する面に配置された導電性の部材からなる電極部１１０１ａと、センサ取り付け部１１０４の生体１０００と接触しない面に露出するように設けられた、生体電気信号測定装置との接続のためのコネクタ１１０２ａと、センサ取り付け部１１０４に固定され、電極部１１０１ａとコネクタ１１０２ａとを電気的に接続する配線１１０３ａと、コネクタ１１０２ａと配線１１０３ａの表面のうち、生体１０００と接触する部分を被覆する撥水性かつ電気絶縁性の絶縁部材１１０５とを備える。【選択図】  図２
2016106877.tif 000002
【特許請求の範囲】
【請求項１】
撥水性かつ電気絶縁性の部材からなるセンサ取り付け部と、
このセンサ取り付け部の生体と接触する面に配置された導電性の部材からなる電極部と、
前記センサ取り付け部の生体と接触しない面に露出するように設けられた、生体電気信号測定装置との接続のためのコネクタと、
前記センサ取り付け部に固定され、前記電極部と前記コネクタとを電気的に接続する配線と、
前記コネクタと前記配線の表面のうち、生体と接触する部分を被覆する撥水性かつ電気絶縁性の絶縁部材とを備えることを特徴とする生体電極。
【請求項２】
請求項１記載の生体電極において、
前記センサ取り付け部は、前記電極部と前記コネクタと前記配線よりも大きく、生体の皮膚表面に沿って前記センサ取り付け部の外縁が前記電極部と前記コネクタと前記配線の外縁よりも外側に所定の距離以上張り出すことを特徴とする生体電極。
【請求項３】
請求項１または２記載の生体電極において、
前記センサ取り付け部は、ポリエステル、ナイロン、アクリル、ウレタンのいずれか１つまたは２つ以上の組み合わせからなる織物、編物または不織布の布帛であることを特徴とする生体電極。
【請求項４】
請求項１乃至３のいずれか１項に記載の生体電極において、
前記センサ取り付け部は、ＪＩＳ  Ｌ  ０８４８に規定される人工汗に浸漬した直後の含水率が、ＪＩＳ  Ｌ  １０９６水分率及び含水率の測定で２０％以下であることを特徴とする生体電極。
【請求項５】
請求項１乃至３のいずれか１項に記載の生体電極において、
前記センサ取り付け部は、ＪＩＳ  Ｌ  ０８４８に規定される人工汗に浸漬し取り出した後の前記センサ取り付け部の１０ｃｍ間の電気抵抗値が１ＭΩ以上であることを特徴とする生体電極。
【請求項６】
前記電極部が生体と接触するように、請求項１乃至５のいずれか１項に記載の生体電極が固定されたことを特徴とする衣類。
【発明の詳細な説明】
【技術分野】
【０００１】
本発明は、心電図をはじめとする生体電気信号を測定するための生体電極、および生体電極が固定された衣類に関するものである。
【背景技術】
【０００２】
脳波、事象関連電位、誘発電位、筋電図、心電図等の生体電気信号の記録、及び生体に対する電気刺激のために、体表面に装着する生体電極が広く使用されている。近年、個人の健康管理の手法の一つとして、長期間にわたって心電波形を記録し、その波形の変化を解析することで、自律神経の乱れや心臓病の兆候を早期に発見することができ、予防医学において有効であることが知られている。長期間にわたって心電波形を取得するため、生体電極の取り付けられた着衣（ウェアラブル電極）が注目されている（非特許文献１参照）。
【０００３】
一般に、ウェアラブル電極は、生体に接触する電極部、生体電気信号を測定する端末を取り付けるコネクタ、電極部とコネクタを接続する配線、電極部とコネクタと配線とを取り付けるベースとなる身生地部分とに分けられ、電極部とコネクタと配線のみに導電性が付与され、身生地は電気絶縁体で形成される。このような構成とすることで、電極部のみから所望の生体電気信号を取得することができる。
【先行技術文献】
【非特許文献】
【０００４】
【非特許文献１】David M.D.Ribeiro，et al.，“A Realtime, Wearable ECG and Continous Blood Pressure Monitoring System for FirstResponders”，33rd Annual International Conference of the IEEE EMBS，pp.6894-6898，2011
【発明の概要】
【発明が解決しようとする課題】
【０００５】
しかしながら、一般に着衣の身生地は、着用時の快適さを確保するために汗や雨などの水分を吸収する素材が用いられる。電解液を含んだ身生地は電気絶縁性が失われる。このため、従来のウェアラブル電極は、着用者が発汗した時や雨天での使用時において、電極部、コネクタ、配線などの導電体と身生地との電気的な絶縁が確保できず、電極部以外の身生地部分で検出された生体電気信号が電極部から取得した生体電気信号に混入することで所望の生体電気信号を取得できなくなったり、複数の電極間が電気的に短絡することにより生体電気信号が劣化したりするといった問題点があった。なお、本来、雨は電解液ではないが、酸性雨等の影響により雨が電解液として作用する可能性がある。
【０００６】
本発明は、上記課題を解決するためになされたもので、生体電極を着衣に取り付けた後で、着衣が汗等で濡れた状態になったとしても、所望の生体電気信号を取得可能とすることにある。
【課題を解決するための手段】
【０００７】
本発明の生体電極は、撥水性かつ電気絶縁性の部材からなるセンサ取り付け部と、このセンサ取り付け部の生体と接触する面に配置された導電性の部材からなる電極部と、前記センサ取り付け部の生体と接触しない面に露出するように設けられた、生体電気信号測定装置との接続のためのコネクタと、前記センサ取り付け部に固定され、前記電極部と前記コネクタとを電気的に接続する配線と、前記コネクタと前記配線の表面のうち、生体と接触する部分を被覆する撥水性かつ電気絶縁性の絶縁部材とを備えることを特徴とするものである。
また、本発明の生体電極の１構成例において、前記センサ取り付け部は、前記電極部と前記コネクタと前記配線よりも大きく、生体の皮膚表面に沿って前記センサ取り付け部の外縁が前記電極部と前記コネクタと前記配線の外縁よりも外側に所定の距離以上張り出すことを特徴とするものである。
【０００８】
また、本発明の生体電極の１構成例において、前記センサ取り付け部は、ポリエステル、ナイロン、アクリル、ウレタンのいずれか１つまたは２つ以上の組み合わせからなる織物、編物または不織布の布帛である。
また、本発明の生体電極の１構成例において、前記センサ取り付け部は、ＪＩＳ  Ｌ  ０８４８（２００４年）に規定される人工汗に浸漬した直後の含水率が、ＪＩＳ  Ｌ  １０９６（２０１０年）水分率及び含水率の測定で２０％以下である。
また、本発明の生体電極の１構成例において、前記センサ取り付け部は、ＪＩＳ  Ｌ  ０８４８（２００４年）に規定される人工汗に浸漬し取り出した後の前記センサ取り付け部の１０ｃｍ間の電気抵抗値が１ＭΩ以上である。
また、本発明の衣類は、前記電極部が生体と接触するように生体電極が固定されたことを特徴とするものである。
【発明の効果】
【０００９】
本発明によれば、撥水性かつ電気絶縁性の部材からなるセンサ取り付け部に電極部とコネクタと配線とを取り付け、コネクタと配線の表面のうち、生体と接触する部分を撥水性かつ電気絶縁性の絶縁部材で被覆することにより、センサ取り付け部を着衣に取り付けた後で、着衣が汗等で濡れた状態になったとしても、コネクタや配線と生体との間の短絡、あるいは複数の電極部間の短絡を防ぐことができ、所望の生体電気信号を取得することができる。
【００１０】
また、本発明では、センサ取り付け部を電極部とコネクタと配線よりも大きくし、生体の皮膚表面に沿ってセンサ取り付け部の外縁が電極部とコネクタと配線の外縁よりも外側に所定の距離以上張り出すようにしたので、センサ取り付け部を着衣に取り付けた後で、着衣が汗等で濡れた状態になったとしても、着衣の部分で検出された生体電気信号が、電極部で取得する生体電気信号に混入することを防ぐことができる。
【図面の簡単な説明】
【００１１】
【図１】本発明の第１の実施の形態に係るウェアラブル電極を生体に装着した様子を示す模式図である。
【図２】本発明の第１の実施の形態に係るウェアラブル電極の断面図である。
【図３】本発明の第１の実施の形態に係るウェアラブル電極を生体側から見た下面図である。
【図４】本発明の第１の実施の形態に係るウェアラブル電極および従来のウェアラブル電極の絶縁部の抵抗と心電図波形振幅との関係を示す図である。
【図５】センサ取り付け部の含水率と心電図波形振幅との関係を示す図である。
【発明を実施するための形態】
【００１２】
［第１の実施の形態］
以下、本発明に係るウェアラブル電極（生体電極）を図面に基づいて詳細に説明する。なお、以下の実施の形態により本発明が限定されるものではない。
【００１３】
図１は本発明の第１の実施の形態に係るウェアラブル電極を生体に装着した様子を示す模式図、図２は図１のウェアラブル電極のＡ−Ａ’線断面図である。なお、図２では、１組の電極部と配線とコネクタのみについて記載している。
本実施の形態のウェアラブル電極は、生体１０００（着用者）に接触する導電性繊維構造物からなる２つの電極部１１０１ａ，１１０１ｂと、電極部１１０１ａ，１１０１ｂが取得した生体電気信号を検出処理する生体電気信号測定装置を接続するためのコネクタ１１０２ａ，１１０２ｂと、電極部１１０１ａ，１１０１ｂとコネクタ１１０２ａ，１１０２ｂとを電気的に接続する配線１１０３ａ，１１０３ｂと、電極部１１０１ａ，１１０１ｂとコネクタ１１０２ａ，１１０２ｂと配線１１０３ａ，１１０３ｂとを固定するためのセンサ取り付け部１１０４と、コネクタ１１０２ａ，１１０２ｂと配線１１０３ａ，１１０３ｂの生体１０００に接触する面を被覆する絶縁部材１１０５と、センサ取り付け部１１０４が固定される着衣１１００とから構成される。
【００１４】
電極部１１０１ａ，１１０１ｂの数は、１つ以上であれば特に限定されない。電極部１１０１ａ，１１０１ｂの位置は、本発明においては特に限定されず、検出対象とする生体電気信号の種類に応じて変えればよい。例えば、検出対象が心電波形であれば、生体１０００の心臓を挟んだ左右に１つずつ電極部１１０１ａ，１１０１ｂを設置すればよく、検出対象が筋電位であれば、対象とする筋肉上に２つの電極部１１０１ａ，１１０１ｂを設置すればよいが、電極部１１０１ａ，１１０１ｂの配置及び数は本発明を規定するものではない。
【００１５】
電極部１１０１ａ，１１０１ｂを構成する導電性繊維構造物は、特に限定されないが、銀、銅、金、ステンレス等の金属を細線に加工して柔軟性を付与し、布帛として構成したものや、上記金属を繊維素材にメッキしたもの、あるいはカーボンファイバーや導電性高分子を繊維素材に含浸したものなどを用いることができる。特に、導電性高分子としてポリ３、４−エチレンジオキシチオフェン（ＰＥＤＯＴ）にポリスチレンスルホン酸（ポリ４−スチレンサルフォネート；ＰＳＳ）をドープしたＰＥＤＯＴ／ＰＳＳを用い、この導電性高分子を繊維素材に含浸したものは、安全性、加工性の観点から電極部として特に好適である。
【００１６】
電極部１１０１ａ，１１０１ｂは、センサ取り付け部１１０４の生体１０００と接触する面に固定される。電極部１１０１ａ，１１０１ｂのセンサ取り付け部１１０４への固定方法としては、電極部１１０１ａ，１１０１ｂを縫い付ける方法、電極部１１０１ａ，１１０１ｂの外周部の少なくとも一部を粘着テープで押さえて固定する方法、接着で固定する方法などがある。接着に用いる接着剤としては、特に限定されないが、１００〜１８０℃で融着可能な樹脂を用いることができる。この樹脂の種類はポリエステル、ナイロン、ポリウレタンまたはこれらの混合物が挙げられるが、これらの樹脂に限定されるものではない。
【００１７】
配線１１０３ａ，１１０３ｂとしては、センサ取り付け部１１０４に上記の導電性高分子を印刷したものや、センサ取り付け部１１０４に導電性樹脂のフィルムを貼り付けたもの、センサ取り付け部１１０４に導電性繊維構造物を縫い付けたもの、図３に示すように導電性繊維構造物からなる配線１１０３ａ，１１０３ｂの外周部の少なくとも一部を粘着テープ１１０８で押さえてセンサ取り付け部１１０４に固定したもの、あるいは導電性繊維構造物をセンサ取り付け部１１０４に接着したものを用いることができる。
【００１８】
配線１１０３ａ，１１０３ｂとして導電性高分子を印刷する場合には、センサ取り付け部１１０４に電極部１１０１ａ，１１０１ｂを固定した後で、電極部１１０１ａ，１１０１ｂとの電気的接続が得られるように導電性高分子を印刷してもよいし、導電性高分子を印刷した後で、この導電性高分子との電気的接続が得られるように電極部１１０１ａ，１１０１ｂをセンサ取り付け部１１０４に固定してもよい。
【００１９】
配線１１０３ａ，１１０３ｂとして導電性樹脂のフィルムを用いる場合には、センサ取り付け部１１０４に電極部１１０１ａ，１１０１ｂを固定した後で、電極部１１０１ａ，１１０１ｂとの電気的接続が得られるように導電性樹脂のフィルムをセンサ取り付け部１１０４に貼り付けてもよいし、導電性樹脂のフィルムを貼り付けた後で、この導電性樹脂のフィルムとの電気的接続が得られるように電極部１１０１ａ，１１０１ｂをセンサ取り付け部１１０４に固定してもよい。
【００２０】
配線１１０３ａ，１１０３ｂとして導電性繊維構造物を用いる場合も同様に、電極部１１０１ａ，１１０１ｂの後に配線１１０３ａ，１１０３ｂを固定してもよいし、電極部１１０１ａ，１１０１ｂよりも前に配線１１０３ａ，１１０３ｂを固定してもよいが、導電性繊維構造物を用いる場合には、電極部１１０１ａ，１１０１ｂと配線１１０３ａ，１１０３ｂとを一体成形することも可能である。
【００２１】
電極部１１０１ａ，１１０１ｂや配線１１０３ａ，１１０３ｂの固定に使用される粘着テープとしては、厚みが１０〜１００μｍのポリウレタン、ポリエステル、ナイロン等の合成樹脂からなる無孔フィルム、気孔周辺が撥水化された微多孔フィルム、あるいは繊維間の空隙をポリウレタン、ポリエステル、ナイロン等の撥水性かつ絶縁性の樹脂で予め埋めたフィルムを基材とするものが使用される。この基材の少なくとも片面にホットメルト等の接着材層を積層した防水テープが粘着テープとして特に好適である。
【００２２】
配線１１０３ａ，１１０３ｂが生体１０００と接触すると、電極部１１０１ａ，１１０１ｂで取得する生体電気信号の信号経路に対してシャント抵抗が挿入されることとなり、測定装置に入力される所望の生体電気信号が減衰してしまう。そのため、配線１１０３ａ，１１０３ｂをセンサ取り付け部１１０４の生体１０００と接触しない面に配置する必要がある。あるいは、図２に示すように配線１１０３ａ，１１０３ｂを絶縁部材１１０５で覆い、生体１０００と接触しないようにするとよい。ここで、絶縁部材１１０５として上記の粘着テープを用い、配線１１０３ａ，１１０３ｂの固定と絶縁被覆とを同時に達成してもよい。
【００２３】
コネクタ１１０２ａ，１１０２ｂとしては、着用者に違和感を与えないため、金属製ドットボタンや導電性を有する線ファスナー、導電性面ファスナー等、従来着衣の脱着部に用いられる部材を用いることが好ましく、着用時に簡便に生体電気信号測定装置を脱着できるよう、センサ取り付け部１１０４の生体１０００と接触しない面に露出することが好ましい。
【００２４】
コネクタ１１０２ａ，１１０２ｂの位置は、特に限定されない。電極部１１０１ａ，１１０１ｂをセンサ取り付け部１１０４の生体１０００と接触する面に配置し、コネクタ１１０２ａ，１１０２ｂを生体１０００と接触しない面に露出させるためには、コネクタ１１０２ａ，１１０２ｂまたは配線１１０３ａ，１１０３ｂのどちらかがセンサ取り付け部１１０４を貫通している必要がある。コネクタ１１０２ａ，１１０２ｂと配線１１０３ａ，１１０３ｂのうちどちらがセンサ取り付け部１１０４を貫通するかは、コネクタ１１０２ａ，１１０２ｂ及び配線１１０３ａ，１１０３ｂの形態によって任意に選ぶことができる。
【００２５】
例えばコネクタ１１０２ａ，１１０２ｂとして金属製ドットボタンや線ファスナーを用いる場合は、取り付け時に必然的に金属製ドットボタンや線ファスナーがセンサ取り付け部１１０４を貫通するため、配線１１０３ａ，１１０３ｂは必ずしもセンサ取り付け部１１０４を貫通する必要はない。ただし、コネクタ１１０２ａ，１１０２ｂがセンサ取り付け部１１０４を貫通する場合には、図２に示すように、配線１１０３ａ，１１０３ｂだけでなく、生体１０００と接触する側に露出したコネクタ１１０２ａ，１１０２ｂについても絶縁部材１１０５で覆う必要がある。
【００２６】
コネクタ１１０２ａ，１１０２ｂとして導電性面ファスナーを用いる場合には、例えば導電性面ファスナーをセンサ取り付け部１１０４に縫い付けることで固定する。この縫い付けに用いる糸は導電性を有しており、この糸を導電性面ファスナーに通すだけでなく、さらにセンサ取り付け部１１０４を貫通して配線１１０３ａ，１１０３ｂまで通すことで、導電性面ファスナーをセンサ取り付け部１１０４に縫い付けると同時に、導電性面ファスナーと配線１１０３ａ，１１０３ｂとを導電性の糸で電気的に接続することができる。配線１１０３ａ，１１０３ｂまで達した糸は、上記の絶縁部材１１０５で覆われるので、生体１０００と接触することはない。
【００２７】
導電性を有する糸としては、銀、銅、金、ステンレス等の金属を細線に加工して柔軟性を付与し、糸として構成したものや、これらの金属を繊維素材にメッキしたもの、あるいはカーボンファイバーや導電性高分子を繊維素材に含浸したものなどを用いることができる。
【００２８】
センサ取り付け部１１０４は、撥水性かつ電気絶縁性の部材であれば特に限定されず、例えばポリエステル、ナイロン、アクリル、ウレタン等の合成樹脂素材を単独または２つ以上組み合わせて用いることができる。ただし、センサ取り付け部１１０４が繊維素材の織物や編物といった形態であると、多量の水分に暴露された際に、織り込まれた繊維と繊維の間隙に水分が担持され、担持された水分同士が数珠繋ぎに連結されることで、複数の電極部の間が電気的に短絡する恐れがある。
【００２９】
そのため、センサ取り付け部１１０４は、フッ素樹脂、ポリウレタン、ポリエステル、ナイロン等の樹脂からなる無孔フィルム、気孔周辺が撥水化された微多孔フィルム、あるいは繊維間の空隙をポリエステル、ナイロン、ウレタン、フッ素等の撥水性かつ電気絶縁性の樹脂で予め埋めたフィルムであることが望ましい。
【００３０】
センサ取り付け部１１０４の大きさは、電極部１１０１ａ，１１０１ｂとコネクタ１１０２ａ，１１０２ｂと配線１１０３ａ，１１０３ｂと絶縁部材１１０５とを含む大きさであれば良く、例えば着衣１１００の全てをセンサ取り付け部１１０４として形成することも可能である。ただし、着用者が着衣１１００を着た際に撥水性の部材が肌に触れると、汗が吸収されず不快感が生じる恐れがあるため、センサ取り付け部１１０４はなるべく小さいことが望ましい。
【００３１】
一方、センサ取り付け部１１０４の表面に担持された水分同士が数珠繋ぎに連結されることで、ウェアラブル電極の導電性を有する部分（電極部１１０１ａ，１１０１ｂ、コネクタ１１０２ａ，１１０２ｂ、配線１１０３ａ，１１０３ｂ）と着衣１１００とが電気的に連結されることを防ぐため、図２に示すように、ウェアラブル電極の導電性を有する部分よりもセンサ取り付け部１１０４が大きく、かつウェアラブル電極の導電性を有する部分の外縁からセンサ取り付け部１１０４の外縁までの距離がｄ以上であることが望ましい。
【００３２】
距離ｄは、センサ取り付け部１１０４の材質や表面形状によって設計すべき値であり、本発明を規定するものではないが、例えばセンサ取り付け部１１０４としてポリウレタン無孔膜を用いた場合には、距離ｄを３ｍｍ以上とすることで所期の目的を達成することができる。
センサ取り付け部１１０４の着衣１１００への固定方法としては、図２に示すように縫い付け糸１１０７を用いてセンサ取り付け部１１０４を着衣１１００に縫い付ける方法、あるいは接着で固定する方法などがある。
【００３３】
絶縁部材１１０５は、撥水性かつ電気絶縁性の部材であれば特に限定されず、例えばポリエステル、ナイロン等の合成樹脂素材を用いることができる。ただし、センサ取り付け部１１０４の場合と同様に、絶縁部材１１０５が繊維素材の織物や編物といった形態であると、多量の水分に暴露された際に、織り込まれた繊維と繊維の間隙に水分が担持され、担持された水分同士が数珠繋ぎに連結されることで、複数の電極部の間が電気的に短絡する恐れがある。
【００３４】
そのため、絶縁部材１１０５は、フッ素樹脂、ポリウレタン、ポリエステル、ナイロン等の樹脂からなる無孔フィルム、気孔周辺が撥水化された微多孔フィルム、あるいは繊維間の空隙をポリエステル、ナイロン等の撥水性かつ電気絶縁性の樹脂で予め埋めたフィルムであることが望ましい。
【００３５】
絶縁部材１１０５の大きさは、電気的に絶縁したいコネクタ１１０２ａ，１１０２ｂと配線１１０３ａ，１１０３ｂとを含む大きさであればよい。ただし、センサ取り付け部１１０４の場合と同様に、着用者が着衣１１００を着た際に撥水性の部材が肌に触れると、汗が吸収されず不快感が生じる恐れがあるため、絶縁部材１１０５はなるべく小さいことが望ましい。
【００３６】
絶縁部材１１０５のセンサ取り付け部１１０４への固定方法としては、絶縁部材１１０５を縫い付ける方法、あるいは接着で固定する方法などがある。上記のとおり、絶縁部材１１０５として粘着テープを使用すれば、配線１１０３ａ，１１０３ｂの固定と絶縁被覆とを同時に達成することができる。
【００３７】
着衣１１００の素材及び形状は特に限定されず、検出対象とする生体電気信号の種類に応じて変えればよい。例えば、心電位の取得を目的とする場合は生体１０００の心臓に近い胸部を含む着衣形状が望ましく、例えばシャツやブラジャー、腹巻きといった形状が望ましい。下肢部の筋電位の取得を目的とする場合はスパッツやパンツ、ズボンといった形状が望ましい。
【００３８】
また、着衣１１００の素材は通常の衣料品で用いられる綿、羊毛等の天然繊維素材、ポリエステル、ナイロン等の合成繊維素材を何ら制限なく用いることができるが、本発明はかかる着衣の形状や素材に限定されるものではない。
【００３９】
以上のように、本実施の形態では、撥水性かつ電気絶縁性の部材からなるセンサ取り付け部１１０４に電極部１１０１ａ，１１０１ｂとコネクタ１１０２ａ，１１０２ｂと配線１１０３ａ，１１０３ｂとを取り付け、コネクタ１１０２ａ，１１０２ｂと配線１１０３ａ，１１０３ｂの表面のうち、生体１０００と接触する部分を撥水性かつ電気絶縁性の絶縁部材１１０５で覆うことにより、着衣１１００が汗等で濡れた状態であっても、コネクタ１１０２ａ，１１０２ｂや配線１１０３ａ，１１０３ｂと生体１０００との間の短絡、あるいは複数の電極部１１０１ａ，１１０１ｂ間の短絡を防ぐことができ、所望の生体電気信号を取得することができる。
【００４０】
また、本実施の形態では、電極部１１０１ａ，１１０１ｂとコネクタ１１０２ａ，１１０２ｂと配線１１０３ａ，１１０３ｂよりもセンサ取り付け部１１０４を大きくし、生体１０００の皮膚表面に沿ってセンサ取り付け部１１０４の外縁が電極部１１０１ａ，１１０１ｂとコネクタ１１０２ａ，１１０２ｂと配線１１０３ａ，１１０３ｂの外縁よりも外側に所定の距離ｄだけ張り出すようにしたので、着衣１１００が汗等で濡れたときに、着衣１１００の部分で検出された生体電気信号が、電極部１１０１ａ，１１０１ｂで取得する生体電気信号に混入することを防ぐことができる。
【００４１】
［第２の実施の形態］
次に、本発明の第２の実施の形態について説明する。本実施の形態は、第１の実施の形態の具体例を示すものである。なお、本発明が以下の例に限定されるものでないことは言うまでもない。
【００４２】
［サンプル１］
図１、図２に示した構造のウェアラブル電極を次に示す部材で作成した。電極部１１０１ａ，１１０１ｂは、導電成分としてＰＥＤＯＴ／ＰＳＳを１ｗｔ％、バインダーとしてアクリル系熱硬化性樹脂５ｗｔ％を分散した分散液を、ポリエステルナノファイバーのスムース組織の丸編物に対してグラビアコーティング法で薬剤塗布量が１５ｇ／ｍ２になるように塗布して作成した。
【００４３】
配線１１０３ａ，１１０３ｂとしては、三ツ冨士繊維工業（株）製の銀メッキ糸「ＡＧｐｏｓｓ」の１１０Ｔ−３４をリボン状にしたものを使用した。絶縁部材１１０５としては、東レコーテックス（株）製のポリウレタン防水シームテープ「αＥ−１１０」を使用した。
【００４４】
着衣１１００とセンサ取り付け部１１０４には、８４Ｔ−３６Ｆのポリエステル仮撚り加工糸と３３Ｔのポリウレタン弾性糸を引きそろえたものを３２ゲージ丸編み機で作成したベア天生地を使用した。センサ取り付け部１１０４の布帛には、旭硝子製撥水剤ＡＧ−Ｅ０８２を２０％ｏｗｆ塗布することで、人工汗に浸漬した直後の含水率が、ＪＩＳ  Ｌ  １０９６（２０１０年）（織物及び編物の生地試験方法）水分率及び含水率の測定で５％の布帛を作成した。
【００４５】
［サンプル２］
上記のサンプル１と同じ部材を用いて、センサ取り付け部１１０４の布帛には、旭硝子製撥水剤ＡＧ−Ｅ０８２を５％ｏｗｆ塗布した後、ウレタン樹脂を１０ｇ／ｍ２となるようグラビアコーティングで塗布することで、人工汗に浸漬した直後の含水率が、ＪＩＳ  Ｌ  １０９６（２０１０年）（織物及び編物の生地試験方法）水分率及び含水率の測定で３％の布帛を作成した。
【００４６】
［サンプル３］
サンプル２において、センサ取り付け部１１０４に厚さ１ｍｍのウレタンゴムシートを用いた。
【００４７】
［サンプル４］
上記のサンプル１と同じ部材を用いて、センサ取り付け部１１０４の布帛には、旭硝子製撥水剤ＡＧ−Ｅ０８２を１０％ｏｗｆ塗布することで、人工汗に浸漬した直後の含水率が、ＪＩＳ  Ｌ  １０９６（２０１０年）（織物及び編物の生地試験方法）水分率及び含水率の測定で１２％の布帛を作成した。
【００４８】
［サンプル５］
上記のサンプル１と同じ部材を用いて、センサ取り付け部１１０４の布帛には、旭硝子製撥水剤ＡＧ−Ｅ０８２を８％ｏｗｆ塗布することで、人工汗に浸漬した直後の含水率が、ＪＩＳ  Ｌ  １０９６（２０１０年）（織物及び編物の生地試験方法）水分率及び含水率の測定で１８％の布帛を作成した。
【００４９】
［比較例１］
サンプル１と同じ部材、同じ構造で、センサ取り付け部１１０４の布帛には、旭硝子製撥水剤ＡＧ−Ｅ０８２を１．５％ｏｗｆ塗布することで、人工汗に浸漬した直後の含水率が、ＪＩＳ  Ｌ  １０９６（２０１０年）（織物及び編物の生地試験方法）水分率及び含水率の測定で２３％の布帛を作成した。
【００５０】
［比較例２］
サンプル１と同じ部材、同じ構造で、センサ取り付け部１１０４の布帛に撥水加工を施さないウェアラブル電極を作製した。
【００５１】
サンプル１〜５と比較例１，２のウェアラブル電極を酸性人工汗液に２４時間浸漬した後、以下の通電部と絶縁部の電気抵抗及び着用時の心電図波形を測定した。その結果を表１に示す。
【００５２】
【表１】
2016106877.tif 000003
【００５３】
通電部Ａ抵抗は電極部１１０１ａとコネクタ１１０２ａ間の電気抵抗、通電部Ｂ抵抗は電極部１１０１ｂとコネクタ１１０２ｂ間の電気抵抗、絶縁部Ａ抵抗は電極部１１０１ａと電極部１１０１ｂ間の電気抵抗、絶縁部Ｂ抵抗は電極部１１０１ａと着衣１１００間の電気抵抗、絶縁部Ｃ抵抗は電極部１１０１ｂと着衣１１００間の電気抵抗である。心電図波形の減衰の数値は、ウェアラブル電極を酸性人工汗液に浸す前の心電図波形のピーク・トゥ・ピーク（Peak to Peak）の振幅値を基準としたときの値を示している。
【００５４】
測定に使用した人工汗については、ＪＩＳ  Ｌ  ０８４８（２００４年）で規定された酸性人工汗液を次のとおり調整した。具体的には、酸性人工汗液は、Ｌ−ヒスチジン塩酸塩一水和物０．５ｇ、塩化ナトリウム５ｇ及びりん酸二水素ナトリウム二水和物２．２ｇを水に溶かし、これに０．１ｍｏｌ／Ｌ水酸化ナトリウム溶液約１５ｍｌと水を加えてｐＨが５．５で全容が約１Ｌになるように調整した。
【００５５】
センサ取り付け部１１０４の含水率は、予め１０ｃｍ×１０ｃｍに切ったセンサ取り付け部を上記人工汗に１分間浸漬した後取り出し１分間吊した後、ＪＩＳ  Ｌ  １０９６（２０１０年）（織物及び編物の生地試験方法）水分率及び含水率の方法で算出した。
【００５６】
表１によると、従来のウェアラブル電極と同様の構造を有する比較例１および２では、絶縁部の抵抗値が低下し、絶縁部としての機能が損なわれており、心電図波形も約４０％以上減衰した。これに対して本実施の形態に係るサンプル１〜５では、絶縁部の絶縁性が維持されており、良好な心電図波形を示した。
【００５７】
図４は、横軸にサンプル１〜５および比較例１，２の絶縁部Ａ抵抗を示し、縦軸に正規化した心電図波形振幅を示した図である。図４における破線４０は計算値を示している。絶縁部Ａ抵抗（センサ取り付け部１１０４の１０ｃｍあたりの抵抗値）が１ＭΩ以上であれば、心電図波形振幅は基準に対して７０％以上を維持することができ、良好な心電図波形が取得できる。
【００５８】
また、図５は、横軸にセンサ取り付け部１１０４の含水率を示し、縦軸に正規化した心電図波形振幅を示した図である。図５によれば、含水率２０％前後において心電図波形振幅が急激に変化しており、含水率２０％以下であれば、良好な心電図波形が取得できることが分かる。
【産業上の利用可能性】
【００５９】
本発明は、身生地が汗などの水分を含有する状態であっても、所望の生体電気信号を取得可能とする技術に関するものである。本発明は、日常生活の健康管理、ジョギング、マラソンやその他スポーツ時の生体データの把握、建設現場や道路工事、架線保全などの屋外作業での労務管理、バスやトラックの運転手、炭鉱労働者、消防士、救助隊員などの労務管理に適用することができる。
【符号の説明】
【００６０】
１０００…生体、１１００…着衣、１１０１ａ，１１０１ｂ…電極部、１１０２ａ，１１０２ｂ…コネクタ、１１０３ａ，１１０３ｂ…配線、１１０４…センサ取り付け部、１１０５…絶縁部材、１１０７…縫い付け糸、１１０８…粘着テープ。
【図１】
2016106877.tif 000004
【図２】
2016106877.tif 000005
【図３】
2016106877.tif 000006
【図４】
2016106877.tif 000007
【図５】
2016106877.tif 000008